(57)【特許請求の範囲】
【請求項１】
塵埃吸引用のモ−タ−を配設したモ−タ−室と、コ−ドリ−ルを収納するコ−ドリ−ル室と、前記モーター室からの排気を前記コードリール室に流入させる連通口と、前記コ−ドリ−ル室の一部に形成したコ−ドの出し入れ用のコ−ド出口開口部と、前記コ−ドリ−ル室と連通した開口部Ａとを有し、前記連通口から流入した排気が前記コード出口開口部と前記開口部Ａから排気される電気掃除機において、前記開口部Ａを前記コード出口開口部の近傍に設け、前記開口部Ａからの排気が前記コード出口開口部からの排気の流出方向に対して干渉する角度に排出するように構成した電気掃除機。
【請求項２】
開口部Ａからの排気の流出方向とコード出口開口部からの排気の流出方向とが交差するように前記開口部Ａを配置することで、前記開口部Ａからの排気と前記コード出口開口部からの排気が干渉するように構成した請求項１記載の電気掃除機。
【請求項３】
開口部Ａの開口面積をコ−ド出口開口部の開口面積より小さく設定した請求項２記載の電気掃除機。
【請求項４】
コ−ド出口開口部をコ−ドリ−ル室の下方に形成するとともに開口部Ａを前記コ−ド出口開口部より下方に位置させた請求項２記載の電気掃除機。
【請求項５】
コ−ド出口開口部をコ−ドリ−ル室の上方に形成するとともに開口部Ａを前記コ−ド出口開口部より上方に位置させた請求項２記載の電気掃除機。
【請求項６】
コ−ド出口開口部からの排気の流出方向に対して開口部Ａからの排気の流出方向が鋭角の角度をもって対向するように構成した請求項１〜５のいずれか１項記載の電気掃除機。
【請求項７】
開口部Ａを複数の小さな穴で形成した請求項２〜６のいずれか１項記載の電気掃除機。
【請求項８】
コ−ド出口開口部からの排気の流出方向と開口部Ａ排気の流出方向が直交するように構成し、前記開口部Ａをスリット状に開口させた請求項２〜６のいずれか１項記載の電気掃除機。
【請求項９】
コ−ド出口開口部からの排気の流出方向に対して一定の角度で交差する排気の流出方向を形成する開口部Ａを複数配設した請求項１記載の電気掃除機。
【請求項１０】
本体の後部に排気孔を形成する後部蓋を備え、前記後部蓋はリブ壁によってモ−タ−室側に位置するモ−タ−排気室とコ−ドリ−ル室側に位置するコ−ドリ−ル排気室とに分離され、それぞれの後面に外気と連通した排気孔Ｂ、排気孔Ｃを形成するとともに後部蓋の開口部Ａと対向する位置に開口部Ｂを形成した請求項２記載の電気掃除機。
【発明の詳細な説明】
【０００１】
【発明の属する技術分野】
本発明は、モ−タ−の排気をコ−ドリ−ル室に連通した電気掃除機に関するものである。
【０００２】
【従来の技術】
従来、この種の電気掃除機は、特開昭６２−２９９２２８号公報、特開平４−５９３９号公報、特開平４−７９９３０号公報などに示されているようにモ−タ−の排気によりコ−ドリ−ル室の冷却を行う構成が一般的であった。
【０００３】
以下、図１６〜図１８に従って説明する。図において、１は前側に集塵室２を形成し、後方に塵埃吸引用のモ−タ−３を配設したモ−タ室４、コ−ド５を巻き取るコ−ドリ−ル６を収納したコ−ドリ−ル室７を並列に設置した電気掃除機本体（以下、本体という）であり、前記モ−タ室４とコ−ドリ−ル室７は隔壁８によって仕切られている。９はモ−タ−３の排気がフィルタ−Ａ１０を通過して排出される本体１の後面に形成した排気孔であり、１１はフィルタ−Ｂ１２を通過してモ−タ３の排気をコ−ドリ−ル室６に流入させる隔壁８に設けた連通孔である。また、コ−ドリ−ル室７の後部下方にはコ−ド５の出口となる開口部１３がコ−ドリ−ル室７と連通して形成され、その後方にコ−ド５先端に配設されたプラグ１４を保持するプラグ保持部１５が形成されている。
【０００４】
上記した構成により、モ−タ−３からの排気がフィルタ−Ｂ１２を介して連通孔１１を通過してコ−ドリ−ル室４に流入し、コ−ド５の冷却を行い開口部１３から排気が排出されるものである。
【０００５】
また、隔壁８に連通孔１１を形成しない場合にも、隔壁８へのコードリール６の取付構成や本体１への隔壁８の取付構成による隙間から排気がコードリール室７に流れこみ、開口部１３から排気が排出されるものである。
【０００６】
【発明が解決しようとする課題】
ところが、上記のような構成ではコ−ド５の出口となる開口部１３はコ−ド５のプラグ１４を保持するために、開口部１３の開口面をプラグ１４よりも大きくすることができず、したがって、コ−ドリ−ル室７に流入した排気が小さい面積のコ−ド５の出口となる開口部１３から排出されるため、コ−ド５の出口となる開口部１３から排出される排気の流速が速く、床面のごみや近傍の書類などを吹き上げたり、人体にあたったときに不快感を与えるなどの不具合があった。また、コ−ド５の冷却においてもモ−タ−４室から流入した排気がそのままコ−ド５の出口となる開口部１３から排出されてしまうため、コ−ド５の冷却効果も低かった。
【０００７】
本発明は、これらの課題を解消するもので、コ−ドの出口となる開口部から排出される排気の流速を遅くして、吹き上げ、人体への不快感を低減するとともに、コ−ドの冷却効果を向上させた電気掃除機を提供することを目的としているものである。
【０００８】
【課題を解決するための手段】
上記目的を達成するために本発明は、塵埃吸引用のモ−タ−を配設したモ−タ−室と、コ−ドリ−ルを収納するコ−ドリ−ル室と、前記モーター室からの排気を前記コードリール室に流入させる連通口と、前記コ−ドリ−ル室の一部に形成したコ−ドの出し入れ用のコ−ド出口開口部と、前記コ−ドリ−ル室と連通した開口部Ａとを有し、前記連通口から流入した排気が前記コード出口開口部と前記開口部Ａから排気される電気掃除機において、前記開口部Ａを前記コード出口開口部の近傍に設け、前記開口部Ａからの排気が前記コード出口開口部からの排気の流出方向に対して干渉する角度に排出するように構成したことにより、コ−ドの出口となる開口部の開口面積を大きくすることなく、コ−ドの保持を確実に行なうとともにコ−ドの出口となる開口部から排出される排気の流速を遅くして、吹き上げ、人体への不快感を低減するとともにかつ、コ−ドの冷却効果を向上させものである。
【０００９】
【発明の実施の形態】
本発明の請求項１記載の発明は、塵埃吸引用のモ−タ−を配設したモ−タ−室と、コ−ドリ−ルを収納するコ−ドリ−ル室と、前記モーター室からの排気を前記コードリール室に流入させる連通口と、前記コ−ドリ−ル室の一部に形成したコ−ドの出し入れ用のコ−ド出口開口部と、前記コ−ドリ−ル室と連通した開口部Ａとを有し、前記連通口から流入した排気が前記コード出口開口部と前記開口部Ａから排気される電気掃除機において、前記開口部Ａを前記コード出口開口部の近傍に設け、前記開口部Ａからの排気が前記コード出口開口部からの排気の流出方向に対して干渉する角度に排出するように構成したことにより、コ−ドの出口となる開口部の開口面積を大きくすることなく、コ−ドの保持を確実に行なうとともに排気面積を拡大してコ−ドの出口となる開口部からの排気の流速を遅くし、床面のごみや近傍においてある書類などの吹き上げや人体への不快感を低減するとともにコ−ドの冷却効果を向上させるものである。
【００１０】
本発明の請求項２記載の発明は、開口部Ａからの排気の流出方向とコード出口開口部からの排気の流出方向とが交差するように前記開口部Ａを配置することで、前記開口部Ａからの排気と前記コード出口開口部からの排気が干渉するように構成したことにより、コ−ドの出口となる開口部からの排気が開口部Ａからの排気により邪魔され、流速がさらに遅くなるものである。
【００１１】
本発明の請求項３記載の発明は、開口部Ａの開口面積をコ−ド出口開口部の開口面積より小さく設定することにより、開口部Ａからの排気の流速がコ−ド出口開口部からの排気の流速より速くなり、コ−ド出口開口部からの排気の流速を効果的に低下させるものである。
【００１２】
本発明の請求項４記載の発明は、コ−ド出口開口部をコ−ドリ−ル室の下方に形成するとともに開口部Ａを前記コ−ド出口開口部より下方に位置させたことにより、コ−ド出口開口部からの排気を開口部Ａの排気で上方に押し上げ、床面のごみや近傍においてある書類などの吹き上げを低減するものである。
【００１３】
本発明の請求項５記載の発明は、コ−ド出口開口部をコ−ドリ−ル室の上方に形成するとともに開口部Ａを前記コ−ド出口開口部より上方に位置させたことにより、コ−ドリ−ル室内上方にこもった高温の空気を効果的に排出し、コ−ドリ−ル室の冷却効果が向上するとともにごみなどが開口部Ａから侵入しにくく、また外観に現れにくいため、商品の見栄えが向上するものである。
【００１４】
本発明の請求項６記載の発明は、コ−ド出口開口部からの排気の流出方向に対して開口部Ａからの排気の流出方向が鋭角の角度をもって対向するように構成したことにより、コ−ド出口開口部からの排気が開口部Ａからの排気により強く邪魔され、流速がさらに遅くなるものである。
【００１５】
本発明の請求項７記載の発明は、開口部Ａを複数の小さな穴で形成することにより、コ−ド出口開口部からの排気に対して全体的に吹きつけることとなり、コ−ド出口開口部からの排気が柔らかなものとなり、人体へ与える不快感を緩和するものである。
【００１６】
本発明の請求項８記載の発明は、コ−ド出口開口部からの排気の流出方向に対して略直角に流れる排気を形成する位置に開口部Ａを配設するとともに、前記開口部Ａをコ−ド出口開口部からの排気の流出方向に直交する方向にスリット状に開口させて形成することにより、プラグ保持部開口部が開口部Ａからの排気でふさがれてコ−ド出口開口部からの排気が柔らかなものとなり、人体へ与える不快感を緩和するものである。
【００１７】
本発明の請求項９記載の発明は、コ−ド出口開口部からの排気の流出方向に対して一定の角度をもって流れる排気の流出方向を形成する複数の位置に開口部Ａを配設することにより、コ−ド出口開口部からの排気に対して数種類の開口部Ａからの排気が吹きつけられてコ−ド出口開口部からの排気の流速が低減するものである。
【００１８】
本発明の請求項１０記載の発明は、本体の後部に排気孔を形成する後部蓋を備え、前記後部蓋はリブ壁によってモ−タ−室側に位置するモ−タ−排気室とコ−ドリ−ル室側に位置するコ−ドリ−ル排気室とに分離され、それぞれの後面に外気と連通した排気孔Ｂ、排気孔Ｃを形成するとともに後部蓋の開口部Ａと対向する位置に開口部Ｂを形成することにより、コ−ド出口開口部からの排気が開口部Ａの排気により開口部Ｂから、後部蓋に流入し、コ−ドリ−ル排気室を通過して排気孔Ｃより排出されるため、床面のごみや近傍の書類などの吹き飛ばしが防止できるとともに、人体へ与える不快感を防止するものである。
【００１９】
【実施例】
（実施例１）
以下、本発明の第１の実施例を図１〜図５を用いて説明する。
【００２０】
２１は前側に集塵袋２２を着脱自在に内蔵する集塵室２３を形成し、後方に塵埃吸引用のモ−タ−２４を配設したモ−タ−室２５、一端にコンセントに接続されるプラグ２６を有し、電源を供給するコ−ド２７を巻き取るコ−ドリ−ル２８を収納したコ−ドリ−ル室２９を並列に配置した電気掃除機本体（以下、本体という）であリ、モ−タ−室２５とコ−ドリ−ル室２９は隔壁３０によって仕切られている。
【００２１】
３１はモ−タ−２４の排気がモ−タ−室２５内に配設したフィルタ−Ａ３２を通過して排出される本体２１後面に形成した排気孔Ａであり、さらにモ−タ−２４の排気は本体２１後面に配設したフィルタ−Ｂ３３を通過してより清浄された空気となって後部蓋３４の排気孔Ｂ３５から外部に排出される。３６はフィルタ−Ｃ３７を通過してモ−タ２４の排気をコ−ドリ−ル室２９に流入させる隔壁３０に設けた連通孔である。
【００２２】
また、コ−ドリ−ル室２９の後部上方にはコ−ド出口開口部３８がコ−ドリ−ル室２９と連通して形成され、その後方にコ−ド２７先端に配設されたプラグ２６を保持するプラグ保持部３９が形成されている。
【００２３】
４０は本体２１の後部下面に設けられキャスタ−ロ−ラ−、４１は本体２１の後方左右側面に設けられたロ−ラ−である。また、４２は集塵室２３の上方を覆う集塵室蓋であり、４３は本体を持ち運びするためのハンドルである。前記プラグ保持部３９には、コ−ド出口開口部３８とは別にコ−ドリ−ル室２９と連通した開口部Ａ４４を設けている。
【００２４】
上記構成による作用は以下の通りである。
【００２５】
前記プラグ保持部３９に設けた開口部Ａ４４により、コ−ド出口開口部３８とともにコ−ドリ−ル室２９に流入したモ−タ−２４の排気を本体２１の外部に排出する排気面積が拡大し、コ−ド出口開口部３８からの排気速度が遅くなるもので、コ−ド出口開口部３８の開口面積を大きくすることなく、コ−ド２７の保持を確実に行なうとともにコ−ド出口開口部３８から排出される排気の流速を遅くして、吹き上げ、人体への不快感を低減するとともにかつ、コ−ド２７の冷却効果を向上させものである。
【００２６】
（実施例２）
次に本発明の第２の実施例を、図６を用いて説明する。なお、上記第１の実施の実施例と同一構成部品については同一符号を付して、その説明を省略する。
【００２７】
プラグ保持部３９に設けた開口部Ａ４４は、コ−ド出口開口部３８から排出される排気の流出方向に対して干渉する角度に排気が排出されるようにプラグ保持部３９の側壁４５に形成されている。
【００２８】
上記構成による作用は以下の通りである。
【００２９】
プラグ保持部３９ａの側壁４５に設けた開口部Ａ４４ａにより、コ−ド出口開口部３８からの排気は、開口部Ａ４４ａからの排気により排気の流出方向が変わるとともにその排気速度が緩和され、流速がさらに遅くなるもので床面のごみや近傍においてある書類などの吹き上げや人体への不快感を低減するものである。
【００３０】
（実施例３）
次に本発明の第３の実施例を、図７を用いて説明する。なお、上記第２の実施例と同一構成部品については同一符号を付して、その説明を省略する。
【００３１】
プラグ保持部３９ａに設けた開口部Ａ４４ｂは、コ−ド出口開口部３８で形成される排気面積よりも小さく設定され、プラグ保持部３９ａの側壁４５に形成されている。
【００３２】
上記構成による作用は以下の通りである。
【００３３】
開口部Ａ４４ｂで形成される排気面積が、コ−ド出口開口部３８で形成される排気面積よりも小さいため、開口部Ａ４４ｂから排出される排気の流速がコ−ド出口開口部３８から排出される排気の流速よりも速くなり、コ−ド出口開口部３８からの排気の流出方向が変わるとともにその排気速度がより緩和され遅くなリ、コ−ド出口開口部３８からの排気を開口部Ａ４４ｂの排気で上方に押し上げ、床面のごみや近傍においてある書類などの吹き上げを低減するものである。
【００３４】
（実施例４）
次に本発明の第４の実施例を、図８を用いて説明する。なお、上記第１の実施例と同一構成部品については同一符号を付して、その説明を省略する。
【００３５】
コ−ド出口開口部３８ａをコ−ドリ−ル室２９の後方下部に形成し、プラグ保持部３９ｂの下壁４６に開口部Ａ４４ｃを設けている。
【００３６】
上記構成による作用は以下の通りである。
【００３７】
コ−ド出口開口部３８ａから排出される排気が開口部Ａ４４ｃの排気によって、上方に押されて排気速度が緩和されて遅くなるとともにコ−ド出口開口部３８ａからの排気を開口部Ａ４４ｃの排気で上方に押し上げ排気の流出方向が上方に変わり、コ−ド出口開口部３８ａからの排気を開口部Ａ４４ｃの排気で上方に押し上げ、床面のごみや近傍においてある書類などの吹き上げを低減するものである。
【００３８】
なお、本実施例の開口部Ａの吹き出し方向を、上記第２，３の実施例の開口部Ａのような吹き出し方向にしてもよい。
【００３９】
（実施例５）
次に本発明の第５の実施例を、図９を用いて説明する。なお、上記第１の実施例と同一構成部品については同一符号を付して、その説明を省略する。
【００４０】
コ−ド出口開口部３８をコ−ドリ−ル室２９の後方上部に形成し、プラグ保持部３９ｃの上壁４７に開口部Ａ４４ｄを設けている。
【００４１】
上記構成による作用は以下の通りである。
【００４２】
コ−ド出口開口部３８から排出される排気が開口部Ａ４４ｄの排気によって、下方に押されて排気速度が緩和されて遅くなるとともに排気の流出方向が下方に変わリ、また、コ−ドリ−ル室２９内上方にこもった高温の排気が排出されやすくなリ、コ−ドリ−ル室２９内上方にこもった高温の空気を効果的に排出し、コ−ドリ−ル室の２９冷却効果が向上するとともにごみなどが開口部Ａ４４ｄから侵入しにくく、また外観に現れにくいため、商品の見栄えが向上するものである。
【００４３】
なお、本実施例の開口部Ａの吹き出し方向を、上記第２，３の実施例の開口部Ａのような吹き出し方向にしてもよい。
【００４４】
（実施例６）
次に本発明の第６の実施例を、図１０を用いて説明する。なお、上記第５の実施例と同一構成部品については同一符号を付して、その説明を省略する。
【００４５】
プラグ保持部３９ｄに設けた開口部Ａ４４ｅは、コ−ド出口開口部３８から排出される排気の流出方向に対して鋭角（θ）の角度をもって干渉するように排気が排出する位置であるプラグ保持部３９ｄの上壁４７に形成されている。
【００４６】
上記構成による作用は以下の通りである。
【００４７】
プラグ保持部３９ｄの上壁４７ａに設けた開口部Ａ４４ｅにより、コ−ド出口開口部３８からの排気は、開口部Ａ４４ｅからの排気により排気が阻害されその排気速度がより緩和され遅くなリ、流速がさらに遅くなリ、床面のごみや近傍においてある書類などの吹き上げや人体への不快感を低減するものである。
【００４８】
なお、本実施例の開口部Ａの吹き出し方向を、上記第２，３の実施例の開口部Ａのような吹き出し方向にしてもよい。
【００４９】
（実施例７）
次に本発明の第７の実施例を、図１１を用いて説明する。なお、上記第５の実施例と同一構成部品については同一符号を付して、その説明を省略する。
【００５０】
プラグ保持部３９ｅの上壁４７に設けた開口部Ａ４４ｆを複数個の小さな穴で形成したものである。
【００５１】
上記構成による作用は以下の通りである。
【００５２】
プラグ保持部３９ｅの上壁４７に設けた小さな複数個の開口部Ａ４４ｆの排気により、コ−ド出口開口部３８からの排気は上方より全体的に吹きつけられ、その排気速度がより緩和され排気が全体的に遅くなリ、コ−ド出口開口部３８からの排気が柔らかなものとなり、人体へ与える不快感を緩和するものである。
【００５３】
なお、本実施例の開口部Ａの吹き出し方向を、上記第２，３の実施例の開口部Ａのような吹き出し方向にしてもよい。
【００５４】
（実施例８）
次に本発明の第８の実施例を、図１２を用いて説明する。なお、上記第５の実施例と同一構成部品については同一符号を付して、その説明を省略する。
【００５５】
開口部Ａ４４ｇをプラグ保持部３９ｆの上壁４７の外端のほぼ一辺にわたってスリット状に形成している。
【００５６】
上記構成による作用は以下の通りである。
【００５７】
プラグ保持部３９ｆの上壁４７に外端に設けたスリット状の開口部Ａ４４ｇの排気により、プラグ保持部３９ｆの端面全体を覆いコ−ド出口開口部３８からの排気を遮断しようとする空気の層を形成し、プラグ保持部３９ｆの開口部が開口部Ａ４４ｇからの排気でふさがれてコ−ド出口開口部３８からの排気速度が大きく低減され、コ−ド出口開口部４４ｇからの排気が柔らかなものとなり、人体へ与える不快感をさらに緩和するものである。
【００５８】
（実施例９）
次に本発明の第９の実施例を、図１３を用いて説明する。なお、上記第５の実施例と同一構成部品については同一符号を付して、その説明を省略する。
【００５９】
開口部Ａ４４ｈをプラグ保持部３９ｇの側壁４５、下壁４６ａ、上壁４７にそれぞれ形成されている。
【００６０】
上記構成による作用は以下の通りである。
【００６１】
コ−ド出口開口部３８からの排気の流出方向に対して側壁４５、下壁４６ａ、上壁４７に形成した開口部Ａ４４からいろいろな角度の排気が干渉するため、プラグ保持部３９ｇの上壁４７に外端に設け開口部Ａ４４の排気により、それぞれの排気によってコ−ド出口開口部３８からの排気に対して数種類の開口部Ａ４４からの排気が吹きつけられてコ−ド出口開口部３８からの排気速度が大きく低減され、より床面のごみや近傍においてある書類などの吹き上げや人体への不快感を大きく低減するものである。
【００６２】
（実施例１０）
次に本発明の第１０の実施例を、図１４、１５を用いて説明する。なお、上記第１、９の実施例と同一構成部品については同一符号を付して、その説明を省略する。
【００６３】
開口部Ａ４４ｉをプラグ保持部３９ｆの上壁４７の外端に形成するとともに後部蓋３４の前記開口部Ａ４４ｉと対向する位置に開口部Ｂ４８を形成し、後部蓋３４内をリブ４９によりモ−タ−室２５と連通した排気孔Ａ３１および、外気と連通した排気孔Ｂ３５を有するモ−タ−排気室５０と前記開口部Ｂ４８と連通し、外気と連通した排気孔Ｃ５１を有するコ−ドリ−ル排気室５２とに分割している。
【００６４】
上記構成による作用は以下の通りである。
【００６５】
コ−ド出口開口部３８からの排気は、プラグ保持部３９ｆの上壁４７に外端に設け開口部Ａ４４ｉの排気により、開口部Ｂ４８から後部蓋３４内のコ−ドリ−ル排気室５２に流れこみ、排気孔５１より外部に排出されることとなり、プラグ保持部３９からの排気の流れをほとんどなくすことができ、床面のごみや近傍の書類などの吹き飛ばしが防止できるとともに、人体へ与える不快感を防止するものである。
【００６６】
【発明の効果】
以上の実施例から明らかなように、本発明の請求項１記載の発明によれば、塵埃吸引用のモ−タ−を配設したモ−タ−室と、コ−ドリ−ルを収納するコ−ドリ−ル室と、前記モーター室からの排気を前記コードリール室に流入させる連通口と、前記コ−ドリ−ル室の一部に形成したコ−ドの出し入れ用のコ−ド出口開口部と、前記コ−ドリ−ル室と連通した開口部Ａとを有し、前記連通口から流入した排気が前記コード出口開口部と前記開口部Ａから排気される電気掃除機において、前記開口部Ａを前記コード出口開口部の近傍に設け、前記開口部Ａからの排気が前記コード出口開口部からの排気の流出方向に対して干渉する角度に排出するように構成したことにより、コ−ドの出口となる開口部の開口面積を大きくすることなく、コ−ドの保持を確実に行なうとともに排気面積を拡大してコ−ドの出口となる開口部からの排気の流速を遅くし、床面のごみや近傍においてある書類などの吹き上げや人体への不快感を低減するとともにコ−ドの冷却効果を向上させるものである。また、隔壁に連通孔を設けない場合にも、隔壁へのコードリール取付構成や本体への隔壁の取付構成による隙間から排気がコードリール室に流入し、コード出口開口部から排気が排出される場合にも同様の効果が得られることは言うまでもない。
【００６７】
本発明の請求項２記載の発明によれば、開口部Ａからの排気の流出方向とコード出口開口部からの排気の流出方向とが交差するように前記開口部Ａを配置することで、前記開口部Ａからの排気と前記コード出口開口部からの排気が干渉するように構成したことにより、コ−ドの出口となる開口部からの排気が開口部Ａからの排気により邪魔され、流速がさらに遅くなり、床面のごみや近傍においてある書類などの吹き上げや人体への不快感を低減するものである。
【００６８】
本発明の請求項３記載の発明によれば、開口部Ａの開口面積をコ−ド出口開口部の開口面積より小さく設定することにより、開口部Ａからの排気の流速がコ−ド出口開口部からの排気の流速より速くなり、コ−ド出口開口部からの排気の流速を効果的に低下させ、床面のごみや近傍においてある書類などの吹き上げや人体への不快感を効果的に低減するものである。
【００６９】
本発明の請求項４記載の発明によれば、コ−ド出口開口部をコ−ドリ−ル室の下方に形成するとともに開口部Ａを前記コ−ド出口開口部より下方に位置させたことにより、コ−ド出口開口部からの排気を開口部Ａの排気で上方に押し上げ、床面のごみや近傍においてある書類などの吹き上げを低減するものである。
【００７０】
本発明の請求項５記載の発明によれば、コ−ド出口開口部をコ−ドリ−ル室の上方に形成するとともに開口部Ａを前記コ−ド出口開口部より上方に位置させたことにより、コ−ドリ−ル室内上方にこもった高温の空気を効果的に排出し、コ−ドリ−ル室の冷却効果が向上するとともにごみなどが開口部Ａから侵入しにくく、また外観に現れにくいため、商品の見栄えが向上するものである。
【００７１】
本発明の請求項６記載の発明によれば、コ−ド出口開口部からの排気の流出方向に対して開口部Ａからの排気の流出方向が鋭角の角度をもって対向するように構成したことにより、コ−ド出口開口部からの排気が開口部Ａからの排気により強く邪魔され、流速がさらに遅くなリ、床面のごみや近傍においてある書類などの吹き上げや人体への不快感を低減するものである。
【００７２】
本発明の請求項７記載の発明によれば、開口部Ａを複数の小さな穴で形成することにより、コ−ド出口開口部からの排気に対して全体的に吹きつけることとなり、コ−ド出口開口部からの排気が柔らかなものとなり、人体へ与える不快感を緩和するものである。
【００７３】
本発明の請求項８記載の発明によれば、コ−ド出口開口部からの排気の流出方向に対して略直角に流れる排気を形成する位置に開口部Ａを配設するとともに、前記開口部Ａをコ−ド出口開口部からの排気の流出方向に直交する方向にスリット状に開口させて形成することにより、プラグ保持部開口部が開口部Ａからの排気でふさがれてコ−ド出口開口部からの排気が柔らかなものとなり、人体へ与える不快感を緩和するものである。
【００７４】
本発明の請求項９記載の発明によれば、コ−ド出口開口部からの排気の流出方向に対して一定の角度をもって流れる排気の流出方向を形成する複数の位置に開口部Ａを配設することにより、コ−ド出口開口部からの排気に対して数種類の開口部Ａからの排気が吹きつけられてコ−ド出口開口部からの排気の流速が低減して、より床面のごみや近傍においてある書類などの吹き上げや人体への不快感を低減するものである。
【００７５】
本発明の請求項１０記載の発明によれば、本体の後部に排気孔を形成する後部蓋を備え、前記後部蓋はリブ壁によってモ−タ−室側に位置するモ−タ−排気室とコ−ドリ−ル室側に位置するコ−ドリ−ル排気室とに分離され、それぞれの後面に外気と連通した排気孔Ｂ、排気孔Ｃを形成するとともに後部蓋の開口部Ａと対向する位置に開口部Ｂを形成することにより、コ−ド出口開口部からの排気が開口部Ａの排気により開口部Ｂから後部蓋に流入し、コ−ドリ−ル排気室を通過して排気孔Ｃより排出されるため、コ−ド出口開口部からの排気がほとんど発生せず、後部蓋の排気孔Ｂ、排気孔Ｃからの排気となり、床面のごみや近傍の書類などの吹き飛ばしが防止できるとともに、人体へ与える不快感を防止するものである。
【００７６】
このように本発明によれば、隔壁にモーター室とコードリール室とを連通する連通孔を設けた構成により、排気がコードリール室に流入する場合や、隔壁へのコードリールの取付構成、本体への隔壁の取付構成などによる隙間から排気がコードリール室に流入する場合などのコード出口開口部から排気を排出する構成に対して、実用上非常に大きな効果が得られるものである。
【図面の簡単な説明】
【図１】  本発明の第１の実施例を示す電気掃除機の後面図
【図２】  同電気掃除機の一部破断平面図
【図３】  同電気掃除機の側面断面図
【図４】  同電気掃除機の側面断面図
【図５】  同電気掃除機の要部斜視図
【図６】  本発明の第２の実施例を示す電気掃除機の要部斜視図
【図７】  本発明の第３の実施例を示す電気掃除機の要部斜視図
【図８】  本発明の第４の実施例を示す電気掃除機の要部断面図
【図９】  本発明の第５の実施例を示す電気掃除機の要部断面図
【図１０】  本発明の第６の実施例を示す電気掃除機の要部断面図
【図１１】  本発明の第７の実施例を示す電気掃除機の要部斜視図
【図１２】  本発明の第８の実施例を示す電気掃除機の要部斜視図
【図１３】  本発明の第９の実施例を示す電気掃除機の要部斜視図
【図１４】  本発明の第１０の実施例を示す電気掃除機の後面図
【図１５】  同電気掃除機の要部断面図
【図１６】  従来例を示す電気掃除機の一部破断平面図
【図１７】  従来例を示す電気掃除機の側面断面図
【図１８】  従来例を示す電気掃除機の後面図
【符号の説明】
２３  集塵室
２４  モ−タ−
２５  モ−タ−室
２６  プラグ
２７  コ−ド
２８  コ−ドリ−ル
２９  コ−ドリ−ル室
３０  隔壁
３６  連通孔
３８  コ−ド出口開口部
３９  プラグ保持部
４４  開口部Ａ
３９ａ  プラグ保持部
３９ｂ  プラグ保持部
３９ｃ  プラグ保持部
３９ｄ  プラグ保持部
３９ｅ  プラグ保持部
３９ｆ  プラグ保持部
４４ａ  開口部Ａ
４４ｂ  開口部Ａ
４４ｃ  開口部Ａ
４４ｄ  開口部Ａ
４４ｅ  開口部Ａ
４４ｆ  開口部Ａ
４４ｇ  開口部Ａ
４４ｈ  開口部Ａ
４４ｉ  開口部Ａ
【図１】
0004019454.tif 000002
【図２】
0004019454.tif 000003
【図３】
0004019454.tif 000004
【図４】
0004019454.tif 000005
【図５】
0004019454.tif 000006
【図６】
0004019454.tif 000007
【図７】
0004019454.tif 000008
【図８】
0004019454.tif 000009
【図９】
0004019454.tif 000010
【図１０】
0004019454.tif 000011
【図１１】
0004019454.tif 000012
【図１２】
0004019454.tif 000013
【図１３】
0004019454.tif 000014
【図１４】
0004019454.tif 000015
【図１５】
0004019454.tif 000016
【図１６】
0004019454.tif 000017
【図１７】
0004019454.tif 000018
【図１８】
0004019454.tif 000019